【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
遊技状態に応じた装飾を行う第一装飾体及び第二装飾体と、
遊技領域に遊技者にとって視認可能に配置され、第一演出位置と第二演出位置との間を移動可能な演出体と、を備え、
前記第一装飾体は前記第一演出位置や前記第二演出位置とは異なる第一位置と第二位置との間を移動可能であり、
前記第二装飾体は前記第一演出位置や前記第二演出位置とは異なる第三位置と第四位置との間を移動可能であり、
前記第一演出位置に位置する前記演出体と前記第二位置に位置する前記第一装飾体との組み合わせで第一演出状態が構成され、
前記第二演出位置に位置する前記演出体と前記第四位置に位置する前記第二装飾体との組み合わせで前記第一演出状態と異なる第二演出状態が構成されることを特徴とする遊技機。
【請求項２】
前記第二位置に位置する前記第一装飾体と前記第四位置に位置する前記第二装飾体との組み合わせで第三演出状態が構成されることを特徴とする請求項１に記載の遊技機。
【請求項３】
前記第一装飾体が前記第一位置から前記第二位置に移動することで、前記第一装飾体によって前記第一演出位置に位置する前記演出体の少なくとも一部を収納可能な第一収納部を形成する一方、
前記第二装飾体が前記第三位置から前記第四位置に移動すると共に前記第一装飾体が前記第一位置から前記第二位置に移動することで、前記第二装飾体と前記第一装飾体によって前記第二演出位置に位置する前記演出体の少なくとも一部を収納可能な第二収納部を形成することを特徴とする請求項１または請求項２に記載の遊技機。
【請求項４】
前記第一装飾体が前記第一位置に位置すると共に前記第二装飾体が前記第三位置に位置している状態においては、前記第一演出位置と前記第二演出位置の間の前記演出体の移動が可能である一方、
前記第一装飾体が前記第二位置に位置するか、または、前記第二装飾体が前記第四位置に位置することで、前記第一演出位置と前記第二演出位置の間の前記演出体の移動を規制する移動規制部が構成されることを特徴とする請求項１から請求項３のいずれか一項に記載の遊技機。
【請求項５】
前記第一装飾体を前記第一位置から前記第二位置へ移動させようとする際に、前記演出体が前記第一演出位置に位置するときには、前記演出体を前記第一演出位置から前記第二演出位置へと移動させてから前記第一装飾体を前記第一位置から前記第二位置へ移動させるか、または、前記演出体を前記第一演出位置に位置させたまま前記第一装飾体のみを前記第一位置から前記第二位置へ移動させ、
前記第一装飾体を前記第二位置から前記第一位置へ移動させようとする際に、前記演出体が前記第二演出位置に位置するときには、前記第一装飾体を前記第二位置から前記第一位置へと移動させてから前記演出体を前記第二演出位置から前記第一演出位置へ移動させるか、または、前記演出体を前記第二演出位置に位置させたまま前記第一装飾体のみを前記第二位置から前記第一位置へ移動させるように制御する制御手段を備えることを特徴とする請求項４に記載の遊技機。
【請求項６】
前記第一装飾体は、同一の駆動源で動作する複数の要素部材から構成されるとともに、前記第二装飾体は、同一の駆動源で動作する前記第一装飾体を構成する要素部材と同数の要素部材から構成され、
前記第一装飾体を構成する各要素部材は、予め定められた対応する前記第二装飾体を構成する一の要素部材と一体的な状態を構成することを特徴とする請求項２から請求項５のいずれか一項に記載の遊技機。
【請求項７】
前記第一装飾体を構成する各要素部材は、前記第一装飾体が第一位置から第二位置に移動しようとする際には、予め定められた移動順通りに、ある要素部材が第一位置から第二位置まで移動し終えてから、次の要素部材の第一位置から第二位置までの移動が行われるように構成される一方、
前記第一装飾体が第二位置から第一位置に移動しようとする際には、前記移動順とは逆の順で、ある要素部材が第二位置から第一位置まで移動し終えてから、次の要素部材の第二位置から第一位置までの移動が行われるように構成されることを特徴とする請求項６に記載の遊技機。
【請求項８】
前記第二装飾体を構成する各要素部材は、前記第二装飾体が第三位置から第四位置に移動しようとする際には、予め定められた移動順通りに、ある要素部材が第三位置から第四位置まで移動し終えてから、次の要素部材の第三位置から第四位置までの移動が行われるように構成される一方、
前記第二装飾体が第四位置から第三位置に移動しようとする際には、前記移動順とは逆の順で、ある要素部材が第四位置から第三位置まで移動し終えてから、次の要素部材の第四位置から第三位置までの移動が行われるように構成されることを特徴とする請求項６または請求項７に記載の遊技機。
【請求項９】
前記第一装飾体を構成する各要素部材は、前記第一装飾体が第一位置から第二位置に移動しようとする際には、予め定められた移動順通りに、ある要素部材が第一位置から第二位置まで移動し終えてから、次の要素部材の第一位置から第二位置までの移動が行われるように構成される一方、
前記第一装飾体が第二位置から第一位置に移動しようとする際には、前記移動順とは逆の順で、ある要素部材が第二位置から第一位置まで移動し終えてから、次の要素部材の第二位置から第一位置までの移動が行われるように構成され、
前記第二装飾体を構成する各要素部材は、前記第二装飾体が第三位置から第四位置に移動しようとする際には、予め定められた移動順通りに、ある要素部材が第三位置から第四位置まで移動し終えてから、次の要素部材の第三位置から第四位置までの移動が行われるように構成される一方、
前記第二装飾体が第四位置から第三位置に移動しようとする際には、前記移動順とは逆の順で、ある要素部材が第四位置から第三位置まで移動し終えてから、次の要素部材の第四位置から第三位置までの移動が行われるように構成され、
前記第一装飾体を構成するある要素部材は、その要素部材の移動順と同じ移動順で動作する前記第二装飾体を構成する要素部材と一体的な形態を構成することを特徴とする請求項６に記載の遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上記課題を解決するためになされた請求項１の発明にかかる遊技機は、遊技状態に応じた装飾を行う第一装飾体及び第二装飾体と、遊技領域に遊技者にとって視認可能に配置され、第一演出位置と第二演出位置との間を移動可能な演出体と、を備え、前記第一装飾体は前記第一演出位置や前記第二演出位置とは異なる第一位置と第二位置との間を移動可能であり、前記第二装飾体は前記第一演出位置や前記第二演出位置とは異なる第三位置と第四位置との間を移動可能であり、前記第一演出位置に位置する前記演出体と前記第二位置に位置する前記第一装飾体との組み合わせで第一演出状態が構成され、前記第二演出位置に位置する前記演出体と前記第四位置に位置する前記第二装飾体との組み合わせで前記第一演出状態と異なる第二演出状態が構成されることを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項２の発明は、請求項１に記載の遊技機において、前記第二位置に位置する前記第一装飾体と前記第四位置に位置する前記第二装飾体との組み合わせで第三演出状態が構成されるところに特徴を有する。
【手続補正１１】
【補正対象書類名】明細書
【補正対象項目名】００１５
【補正方法】変更
【補正の内容】
【００１５】
請求項３の発明は、請求項１または請求項２に記載の遊技機において、前記第一装飾体が前記第一位置から前記第二位置に移動することで、前記第一装飾体によって前記第一演出位置に位置する前記演出体の少なくとも一部を収納可能な第一収納部を形成する一方、前記第二装飾体が前記第三位置から前記第四位置に移動すると共に前記第一装飾体が前記第一位置から前記第二位置に移動することで、前記第二装飾体と前記第一装飾体によって前記第二演出位置に位置する前記演出体の少なくとも一部を収納可能な第二収納部を形成するところに特徴を有する。
【手続補正１２】
【補正対象書類名】明細書
【補正対象項目名】００１６
【補正方法】変更
【補正の内容】
【００１６】
請求項４の発明は、請求項１から請求項３のいずれか一項に記載の遊技機において、前記第一装飾体が前記第一位置に位置すると共に前記第二装飾体が前記第三位置に位置している状態においては、前記第一演出位置と前記第二演出位置の間の前記演出体の移動が可能である一方、前記第一装飾体が前記第二位置に位置するか、または、前記第二装飾体が前記第四位置に位置することで、前記第一演出位置と前記第二演出位置の間の前記演出体の移動を規制する移動規制部が構成されるところに特徴を有する。
【手続補正１３】
【補正対象書類名】明細書
【補正対象項目名】００１７
【補正方法】変更
【補正の内容】
【００１７】
請求項５の発明は、請求項４に記載の遊技機において、前記第一装飾体を前記第一位置から前記第二位置へ移動させようとする際に、前記演出体が前記第一演出位置に位置するときには、前記演出体を前記第一演出位置から前記第二演出位置へと移動させてから前記第一装飾体を前記第一位置から前記第二位置へ移動させるか、または、前記演出体を前記第一演出位置に位置させたまま前記第一装飾体のみを前記第一位置から前記第二位置へ移動させ、前記第一装飾体を前記第二位置から前記第一位置へ移動させようとする際に、前記演出体が前記第二演出位置に位置するときには、前記第一装飾体を前記第二位置から前記第一位置へと移動させてから前記演出体を前記第二演出位置から前記第一演出位置へ移動させるか、または、前記演出体を前記第二演出位置に位置させたまま前記第一装飾体のみを前記第二位置から前記第一位置へ移動させるように制御する制御手段を備えるところに特徴を有する。
【手続補正１４】
【補正対象書類名】明細書
【補正対象項目名】００１８
【補正方法】変更
【補正の内容】
【００１８】
請求項６の発明は、請求項２から請求項５のいずれか一項に記載の遊技機において、前記第一装飾体は、同一の駆動源で動作する複数の要素部材から構成されるとともに、前記第二装飾体は、同一の駆動源で動作する前記第一装飾体を構成する要素部材と同数の要素部材から構成され、前記第一装飾体を構成する各要素部材は、予め定められた対応する前記第二装飾体を構成する一の要素部材と一体的な状態を構成するところに特徴を有する。
【手続補正１５】
【補正対象書類名】明細書
【補正対象項目名】００１９
【補正方法】変更
【補正の内容】
【００１９】
請求項７に記載の発明は、請求項６に記載の発明において、前記第一装飾体を構成する各要素部材は、前記第一装飾体が第一位置から第二位置に移動しようとする際には、予め定められた移動順通りに、ある要素部材が第一位置から第二位置まで移動し終えてから、次の要素部材の第一位置から第二位置までの移動が行われるように構成される一方、前記第一装飾体が第二位置から第一位置に移動しようとする際には、前記移動順とは逆の順で、ある要素部材が第二位置から第一位置まで移動し終えてから、次の要素部材の第二位置から第一位置までの移動が行われるように構成されるところに特徴を有する。
【手続補正１６】
【補正対象書類名】明細書
【補正対象項目名】００２０
【補正方法】変更
【補正の内容】
【００２０】
請求項８の発明は、請求項６または請求項７に記載の遊技機において、前記第二装飾体を構成する各要素部材は、前記第二装飾体が第三位置から第四位置に移動しようとする際には、予め定められた移動順通りに、ある要素部材が第三位置から第四位置まで移動し終えてから、次の要素部材の第三位置から第四位置までの移動が行われるように構成される一方、前記第二装飾体が第四位置から第三位置に移動しようとする際には、前記移動順とは逆の順で、ある要素部材が第四位置から第三位置まで移動し終えてから、次の要素部材の第四位置から第三位置までの移動が行われるように構成されるところに特徴を有する。
【手続補正１７】
【補正対象書類名】明細書
【補正対象項目名】００２１
【補正方法】変更
【補正の内容】
【００２１】
請求項９の発明は、請求項６に記載の遊技機において、前記第一装飾体を構成する各要素部材は、前記第一装飾体が第一位置から第二位置に移動しようとする際には、予め定められた移動順通りに、ある要素部材が第一位置から第二位置まで移動し終えてから、次の要素部材の第一位置から第二位置までの移動が行われるように構成される一方、前記第一装飾体が第二位置から第一位置に移動しようとする際には、前記移動順とは逆の順で、ある要素部材が第二位置から第一位置まで移動し終えてから、次の要素部材の第二位置から第一位置までの移動が行われるように構成され、前記第二装飾体を構成する各要素部材は、前記第二装飾体が第三位置から第四位置に移動しようとする際には、予め定められた移動順通りに、ある要素部材が第三位置から第四位置まで移動し終えてから、次の要素部材の第三位置から第四位置までの移動が行われるように構成される一方、前記第二装飾体が第四位置から第三位置に移動しようとする際には、前記移動順とは逆の順で、ある要素部材が第四位置から第三位置まで移動し終えてから、次の要素部材の第四位置から第三位置までの移動が行われるように構成され、前記第一装飾体を構成するある要素部材は、その要素部材の移動順と同じ移動順で動作する前記第二装飾体を構成する要素部材と一体的な形態を構成するところに特徴を有する。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
請求項１の発明によれば、第一装飾体は、第一演出位置に位置する演出体（独立して動作する可動部材）と第一演出状態を構成し、第二装飾体は、第二演出位置に位置する演出体と第二演出状態を構成する。つまり、独立して動作する演出体が第一演出位置にあるか第二演出位置にあるかによって、異なる可動部材との組み合わせにより別の演出状態を構成することが可能であるから、幅広い演出効果を発現する遊技機となる。
【手続補正２５】
【補正対象書類名】明細書
【補正対象項目名】００２９
【補正方法】変更
【補正の内容】
【００２９】
また、第一装飾体が第一位置と第二位置の間を移動可能、第二装飾体が第三位置と第四位置の間を移動可能とした上で、第一演出位置に位置する演出体と第二位置に位置する第一装飾体との組み合わせで第一演出状態が構成され、第二演出位置に位置する演出体と第四位置に位置する第二装飾体との組み合わせで第二演出状態が構成されるようにすれば、第一装飾体、第二装飾体、および演出体によってより幅広い演出効果を発現することが可能となる。
【手続補正２６】
【補正対象書類名】明細書
【補正対象項目名】００３０
【補正方法】変更
【補正の内容】
【００３０】
請求項２に記載の発明のように、第二位置に位置する第一装飾体と第四位置に位置する第二装飾体によって第三演出状態を構成するようにした場合には、第一装飾体と第二装飾体によってさらに幅広い演出効果を発現することが可能となる。
【手続補正２７】
【補正対象書類名】明細書
【補正対象項目名】００３１
【補正方法】変更
【補正の内容】
【００３１】
請求項３の発明によれば、第一装飾体によって第一演出位置に位置する演出体を収容することができる第一収納部、第一装飾体および第二装飾体によって第二演出位置に位置する演出体を収容することができる第二収納部が構成される構造、すなわち、遊技領域において第一装飾体や第二装飾体によって区画される領域（第一収納部および第二収納部）に演出体が入り込んだ状態とすることができる構造とすれば、限られた遊技領域を有効に活用して効果的な演出を行うことが可能となる。具体的には、第一装飾体および第二装飾体の少なくともいずれか一方と、演出体との合体動作による優れた演出効果が発現される。
【手続補正２８】
【補正対象書類名】明細書
【補正対象項目名】００３２
【補正方法】変更
【補正の内容】
【００３２】
請求項４の発明によれば、第一装飾体が第二位置に位置するか、または、第二装飾体が第四位置に位置している状態においては、第一演出位置と第二演出位置の間の演出体の移動を規制する移動規制部が構成されるため（各装飾体と演出体の動作が規制されるため）、第一装飾体および第二装飾体と演出体が干渉することを防止しつつ、種々の演出を行うことが可能となる。
【手続補正２９】
【補正対象書類名】明細書
【補正対象項目名】００３３
【補正方法】変更
【補正の内容】
【００３３】
請求項５の発明によれば、上記制御手段を備えることにより（上記のように第一装飾体と演出体の動作を制御することにより）、第一装飾体と演出体が干渉することを防止しつつ、種々の演出を行うことが可能となる。
【手続補正３０】
【補正対象書類名】明細書
【補正対象項目名】００３４
【補正方法】変更
【補正の内容】
【００３４】
請求項６の発明によれば、第一装飾体および第二装飾体が、ともに、複数の要素部材から構成され、第一装飾体の要素部材と第二装飾体の要素部材が組み合わされて一体的な状態を構成する構造であるため、第一装飾体と第二装飾体によってなされる合体動作に様々な変化をもたらすことができる。換言すれば、複数種類の合体動作による演出を提供することが可能となる。
【手続補正３１】
【補正対象書類名】明細書
【補正対象項目名】００３５
【補正方法】変更
【補正の内容】
【００３５】
請求項７および請求項８の発明によれば、第一装飾体または第二装飾体を構成するある要素部材が第一位置または第三位置から第二位置または第四位置に移動し終えてから次の要素部材の第一位置または第三位置から第二位置または第四位置までの移動が行われるように構成されるため、一の要素部材のみで状態を構成したり、複数の要素部材で状態を構成したりすることが可能となり、幅広い演出を提供することが可能となる。
【手続補正３２】
【補正対象書類名】明細書
【補正対象項目名】００３６
【補正方法】変更
【補正の内容】
【００３６】
請求項９の発明によれば、第一装飾体および第二装飾体を構成する複数の要素部材（第一要素部材〜第三要素部材）が、予め定められた移動順通りに移動し、同じ移動順の要素部材同士が一体的な状態を構成するため、ある一つの要素部材同士だけで一体的な状態を構成したり、複数の要素部材同士で一体的な状態を構成したりするなど、幅広い演出を提供することが可能となる。